(57)【特許請求の範囲】
【請求項１】
通信制御を行う通信装置において、
信号処理を行い、着脱可能なカードユニットと、
共通制御部が実装された基本ボードと、前記カードユニットを搭載するための基本カードコネクタ及び前記カードユニットを増設するための基本連係コネクタが実装され、基板に配線がなされた基本バック・ワイヤリング・ボードと、から構成される基本ユニットと、
前記基本連係コネクタへの接続、または相互に接続する連係コネクタ及び前記カードユニットを搭載するためのカードコネクタが実装され、基板に配線がなされた増設バック・ワイヤリング・ボードを含み、前記カードユニットの増設を行う増設ユニットと、
を備え、
前記増設ユニットは、入力側の前記連係コネクタのカード１枚分の接続に必要な第１のピンブロックを前記カードコネクタに接続し、前記第１のピンブロック以外の第２のピンブロックを、前記連係コネクタの入力側と出力側とで１ブロック分ずらして配線した接続構成を持つ前記増設バック・ワイヤリング・ボードを含む、
ことを特徴とする通信装置。
【請求項２】
前記基本ユニット及び１台の前記カードユニットから、１台の前記カードユニットに関する運用を行う装置を構成し、前記増設ユニットを用いて、前記基本ユニットに対して複数の前記カードユニットを増設することにより、複数の前記カードユニットに関する運用を行う装置を構成することを特徴とする請求項１記載の通信装置。
【請求項３】
前記増設ユニットは、前記連係コネクタと前記カードコネクタが一体化し、前記増設バック・ワイヤリング・ボードが有する配線の前記接続構成をコネクタ内部に含んだ増設コネクタを有することを特徴とする請求項１記載の通信装置。
【請求項４】
前記カードユニットは、加入者端末と接続する端末インタフェース・ケーブルを収容し、前記基本ユニットは、局と接続する局インタフェース・ケーブルを収容することを特徴とする請求項１記載の通信装置。
【発明の詳細な説明】
【０００１】
【発明の属する技術分野】
本発明は通信装置に関し、特にカードユニットを搭載して通信制御を行う通信装置に関する。
【０００２】
【従来の技術】
近年、マルチメディア・サービスの普及に伴い、加入者伝送系の開発が急速に進められており、ユーザ網インタフェースを実現する回線終端装置の需要が増加している。回線終端装置は、ユーザ宅内に設置されて、高速データ伝送を行う装置であり、例えば、ＩＳＤＮのＤＳＵ（Digital Service Unit：ディジタル回線終端装置）や、光アクセス系ネットワークに用いられて光伝送を行うＯＮＵ（Optical Network Unit：光加入者線終端装置）等がある。
【０００３】
図１１は従来の回線終端装置の外観を示す図である。回線終端装置１００は、シェルフ状の筐体に複数のプリント板が搭載される構成をとっており、筐体にはプリント板の出し入れを行うガイドレール１０１と、プリント板間を相互に接続するバックボード１０２とが設けられている。
【０００４】
搭載されるプリント板には、基本ボード１０３と信号処理ボード１０４の２種類がある。基本ボード１０３は、局インタフェース制御部や電源等が設置されたプリント板のことであり、信号処理ボード１０４は、各種サービスに応じた信号の処理を行うプリント板のことである。
【０００５】
基本ボード１０３には、局と接続するための局インタフェース・ケーブル１０５が引き出され、信号処理ボード１０４には、パソコン等の端末と接続するための端末インタフェース・ケーブル１０６が引き出される。
【０００６】
また、ブランク板１０７は、カード未実装のスロットに搭載されるＥＭＩ（Electro-Magnetic Interference）対策用の基板であり、信号処理ボード１０４から空中に漏れる電磁波ノイズを遮断して、他信号処理ボード１０４の電子回路への誤動作を防止する。
【０００７】
【発明が解決しようとする課題】
しかし、上記のような従来の回線終端装置１００は、あらかじめ収容可能枚数分の信号処理ボード領域を設けておく構造であるため、装置が大型化してしまい、利便性及び経済性に欠けるといった問題があった。
【０００８】
回線終端装置は、家庭やオフィス内に設置されるために、装置の小型化への要望が強く、従来のような構造では、適切な設置場所を確保できない場合がある。また、従来では、予備用のスロットに対して、バックボードやコネクタなどをあらかじめ備えておく必要があり、さらに未実装スロットへのブランク板も考慮しなければならないため、装置のコストアップにつながっていた。
【０００９】
本発明はこのような点に鑑みてなされたものであり、プリント板を効率よく搭載できる構造を持つことにより、利便性及び経済性の向上を図り、高品質な通信を行う通信装置を提供することを目的とする。
【００１０】
【課題を解決するための手段】
本発明では上記課題を解決するために、図１〜図３に示すような、通信制御を行う通信装置において、信号処理を行い、着脱可能なカードユニット２０と、共通制御部が実装された基本ボード１１と、カードユニット２０を搭載するための基本カードコネクタＣｋ１及びカードユニット２０を増設するための基本連係コネクタＣｋ２が実装され、基板に配線がなされた基本バック・ワイヤリング・ボード１２と、から構成される基本ユニット１０と、基本連係コネクタＣｋ２への接続、または相互に接続する連係コネクタＣin、Ｃout及びカードユニット２０を搭載するためのカードコネクタＣ１が実装され、基板に配線がなされた増設バック・ワイヤリング・ボード３１を含み、カードユニット２０の増設を行う増設ユニット３０と、を備え、増設ユニット３０は、入力側の連係コネクタのカード１枚分の接続に必要な第１のピンブロックをカードコネクタＣ１に接続し、第１のピンブロック以外の第２のピンブロックを、連係コネクタの入力側と出力側とで１ブロック分ずらして配線した接続構成を持つ増設バック・ワイヤリング・ボード３１を含む、ことを特徴とする通信装置が提供される。
【００１１】
ここで、カードユニット２０は、着脱可能であり、信号処理を行う。基本ユニット１０は、共通制御部が実装された基本ボード１１と、カードユニット２０を搭載するための基本カードコネクタＣｋ１及びカードユニット２０を増設するための基本連係コネクタＣｋ２が実装され、基板に配線がなされた基本バック・ワイヤリング・ボード１２と、から構成される。増設ユニット３０は、基本連係コネクタＣｋ２への接続、または多段に相互接続する連係コネクタＣin、Ｃout及びカードユニット２０を搭載するカードコネクタＣ１が実装され、基板に配線がなされた増設バック・ワイヤリング・ボード３１を含み、カードユニット２０の増設を行う。
【００１２】
【発明の実施の形態】
以下、本発明の実施の形態を図面を参照して説明する。図１〜図３は通信装置の構成を示す図である。通信装置は、基本ユニット１０（図１）、カードユニット２０（図２）、増設ユニット３０（図３）から構成される。なお、以降では通信装置を、回線終端装置に適用した場合を例にして説明する。
【００１３】
図１に示す基本ユニット１０は、基本ボード１１と、基本バック・ワイヤリング・ボード１２とから構成され、水平に置かれた基本バック・ワイヤリング・ボード１２に基本ボード１１が垂直にコネクタ接続されて組み込まれる。そして、シャーシで被われたＬ型の筐体構造を持つ。以下、バック・ワイヤリング・ボードをＢＷＢ（Back Wiring Board）と記す。
【００１４】
基本ボード１１は、局インタフェース・コネクタＣａが実装される。また、基本ボード１１には、局インタフェース・コネクタＣａに接続されたケーブルを通じて送受信する信号のインタフェース制御を行うインタフェース回路や、中央制御回路及び電源回路等を含む共通制御部（図示せず）が実装される。
【００１５】
基本ＢＷＢ１２は、ストレートタイプの基本カードコネクタＣｋ１と、アングルタイプの基本連係コネクタＣｋ２が実装され、Ｌ型筐体の水平辺の上面に基本カードコネクタＣｋ１が、基本ボード１１と対抗する面に基本連係コネクタＣｋ２が見える状態になっている。
【００１６】
基本カードコネクタＣｋ１は、カードユニット２０（図２で後述）を搭載するためのコネクタであり、基本連係コネクタＣｋ２は、増設ユニット３０（図３で後述）と接続して、カードユニット２０を増設するためのコネクタである。また、基本ＢＷＢ１２には、基本ボード１１と、搭載されたカードユニット２０を接続するための配線がなされている。
【００１７】
図２に示すカードユニット２０は、端末インタフェース・コネクタＣｂが実装されたカード２１を有し、シャーシで被われた構造を持つ。カード２１には、カード接続コネクタ２２と、端末インタフェース・コネクタＣｂに接続されたケーブルを通じて送受信する信号や、基本ボード１１との間で送受信する信号の信号処理を行う信号処理部（図示せず）とが実装される。
【００１８】
カード接続コネクタ２２は、基本ユニット１０に設けられた基本カードコネクタＣｋ１または増設ユニット３０に設けられたカードコネクタＣ１に接続するアングルタイプのコネクタである。また、カードユニット２０は、基本ユニット１０または増設ユニット３０に対して任意に着脱可能である。
【００１９】
図３に示す増設ユニット３０は、連係コネクタＣin、ＣoutとカードコネクタＣ１が実装された増設ＢＷＢ３１を有し、シャーシで被われた構造を持つ。増設ＢＷＢ３１の一方の辺には、アングルタイプの入力側の連係コネクタＣinが、もう片方の辺にはアングルタイプの出力側の連係コネクタＣoutが実装され、その間にはストレートタイプのカードコネクタＣ１が実装される。
【００２０】
連係コネクタＣinは、基本連係コネクタＣｋ２へ接続したり、また連係コネクタＣin、Ｃoutは多段に相互に接続したりして、増設ユニット３０を連係接続する。カードコネクタＣ１は、カード接続コネクタ２２とコネクタ接続して、カードユニット２０を搭載するためのコネクタである。また、増設ＢＷＢ３１には、基本ボード１１と、搭載されたカードユニット２０を接続するための配線がなされている。配線パターンの詳細については、図７、図８で後述する。
【００２１】
ここで、上記のような各ユニットから構成される通信装置がＯＮＵに適用された場合、基本ユニット１０は、局側と接続する光ファイバ・ケーブルを収容し、光／電気変換回路や電源回路等が、基本ボード１１に実装される。また、カードユニット２０は、パソコン等の端末と接続するための端末インタフェース・ケーブルを収容し、通信速度／通信方式によって異なる回路部品が実装された、多様なカードユニット２０が増設ユニット３０によって複数搭載されることになる（１台のみのカードユニット２０の搭載でもよい）。
【００２２】
次に基本ユニット１０に１台のカードユニット２０を搭載した基本装置について説明する。図４は基本装置の構成を示す図である。基本ユニット１０に設けられた基本カードコネクタＣｋ１と、カードユニット２０のカード接続コネクタ２２とをコネクタ接続して、基本ユニット１０のＬ型の内側スペースに、１台のカードユニット２０が搭載される。この状態が基本装置であり、１台のカードユニット２０に関しての運用が可能となる。
【００２３】
次にカードユニット２０の増設について説明する。図５はカードユニット２０を増設する際の組み立て図であり、カードユニット３台を搭載する際の組み立ての様子を示している。また、図６にカードユニット３台を搭載した通信装置の外観を示す。
【００２４】
〔Ｓ１〕図４で上述したように、基本ユニット１０にカードユニット２０−１を搭載して、基本装置が構成される。
〔Ｓ２〕増設ユニット３０−２の入力側の連係コネクタＣin２と、基本ユニット１０の基本連係コネクタＣｋ２とをコネクタ接続する。
【００２５】
〔Ｓ３〕増設ユニット３０−２のカードコネクタＣ１−２と、カードユニット２０−２のカード接続コネクタ２２−２とをコネクタ接続して、カードユニット２０−２を搭載する。
〔Ｓ４〕増設ユニット３０−３の入力側の連係コネクタＣin３と、増設ユニット３０−２の出力側の連係コネクタＣout２とをコネクタ接続する。
【００２６】
〔Ｓ５〕増設ユニット３０−３のカードコネクタＣ１−３と、カードユニット２０−３のカード接続コネクタ２２−３とをコネクタ接続して、カードユニット２０−３を搭載する。なお、組み立て順序は、先にカードユニット２０と増設ユニット３０を接続したユニットを、順に連係していくような接続でも構わない。
【００２７】
このように、基本ユニット１０に対して、増設ユニット３０を連係接続して繋げていくことで、ｎ台のカードユニット２０を搭載でき、ｎ台のカードユニット２０に関する運用が可能になる。なお、複数のカードユニット２０を搭載する場合は、カードユニット２０の機能は、同一機能であっても異なる機能であってもよい（ただし、基本ユニット１０は、それぞれのカードユニット機能に対応した制御を有することになる）。
【００２８】
次に接続構成について説明する。図７、図８はカードユニット２０を搭載した際の接続構成を示す図である。図は５枚のカードを制御できる基本ボード１１に対して、４枚のカード２１−１〜２１−４を実装した状態を示している。なお、接続構成がわかりやすいように、接続に必要な部分のみ示している。
【００２９】
接続関係に対し、基本連係コネクタＣｋ２と連係コネクタＣin２とが接続し、連係コネクタＣout２と連係コネクタＣin３とが接続し、連係コネクタＣout３と連係コネクタＣin４とが接続する。
【００３０】
また、カード接続コネクタ２２−１と基本カードコネクタＣｋ１とのコネクタ接続によりカード２１−１が搭載され、カード接続コネクタ２２−２とカードコネクタＣ１−２とのコネクタ接続によりカード２１−２が搭載され、カード接続コネクタ２２−３とカードコネクタＣ１−３とのコネクタ接続によりカード２１−３が搭載され、カード接続コネクタ２２−４とカードコネクタＣ１−４とのコネクタ接続によりカード２１−４が搭載される。
【００３１】
ここで、基本ボード１１からカード２１−１〜２１−４に接続する信号は、２種類ある。１つは電源／アースなどの基本ボード１１から全カードに共通接続する信号（共通信号Ａとする）であり、もう１つは基本ボード１１から各カードに１対１で接続する信号である。
【００３２】
共通信号Ａは、基本ボード１１からコネクタを介して基本ＢＷＢ１２を通り、基本ＢＷＢ１２内で基本カードコネクタＣｋ１を介してカード２１−１に接続するものと、基本連係コネクタＣｋ２及び連係コネクタＣin２を介して、増設ＢＷＢ３１−２に接続するものとに分岐される。
【００３３】
増設ＢＷＢ３１−２内では、共通信号Ａは、カード２１−２に接続するものと、連係コネクタＣout２及び連係コネクタＣin３を介して、増設ＢＷＢ３１−３に接続するものとに分岐される。また、増設ＢＷＢ３１−３内では、共通信号Ａは、カード２１−３に接続するものと、連係コネクタＣout３及び連係コネクタＣin４を介して、増設ＢＷＢ３１−４に接続するものとに分岐される。さらに、増設ＢＷＢ３１−４内では、共通信号Ａは、カード２１−４に接続するものと、連係コネクタＣout４側へ接続するものとに分岐される。
【００３４】
一方、各カードに１対１で接続する信号には、基本ボード１１から基本ＢＷＢ１２を通って、カード２１−１に接続する信号Ｂ１と、基本ボード１１からカード２１−２〜２１−４に接続するための信号Ｂ２〜Ｂ４がある。
【００３５】
まず、信号Ｂ２は、カード２１−２と接続する信号であり、基本ボード１１→基本ＢＷＢ１２→増設ＢＷＢ３１−２を介して、カード２１−２に接続する。信号Ｂ３は、カード２１−３に接続する信号であり、基本ボード１１→基本ＢＷＢ１２→増設ＢＷＢ３１−２→増設ＢＷＢ３１−３を介して、カード２１−３に接続する。
【００３６】
信号Ｂ４は、カード２１−４に接続する信号であり、基本ボード１１→基本ＢＷＢ１２→増設ＢＷＢ３１−２→増設ＢＷＢ３１−３→増設ＢＷＢ３１−４を介して、カード２１−４に接続する。一般には、信号Ｂｎは、カード２１−ｎに接続する信号であり、基本ボード１１→基本ＢＷＢ１２→増設ＢＷＢ３１−２→・・・→増設ＢＷＢ３１−ｎを介してカード２１−ｎに接続する。なお、図中の点線は、パターンは布設されているが、この図の例では使用されないラインを示している。
【００３７】
ここで、増設ＢＷＢ３１に実装されている連係コネクタＣin、Ｃoutのピン配列を、共通信号Ａと信号Ｂ２〜Ｂｎとの合計ｎ個の信号に対応して、ブロックａとブロックｂ２〜ブロックｂｎとの合計ｎ個のピンブロックに分割する。なお、ここでいうブロックとは、例えば、基板Ａと基板Ｂ間で信号処理する際に必要なすべての信号線束のことを１つのブロックとする。
【００３８】
共通信号Ａは、増設ＢＷＢ３１−２の連係コネクタＣin２のブロックａから増設ＢＷＢ３１−２内を通り、途中で２つに分岐して、一方はカードコネクタＣ１−２に、他方は連係コネクタＣout２のブロックａに接続される。共通信号Ａは以下同様にして、ブロックａを通じて接続されていく。
【００３９】
一方、信号Ｂ２は、連係コネクタＣin２のブロックｂ２から、増設ＢＷＢ３１−２内を通り、カードコネクタＣ１−２に接続する。信号Ｂ３は、連係コネクタＣin２のブロックｂ３から増設ＢＷＢ３１−２内を通り、連係コネクタＣout２のブロックｂ２に接続する。そして、信号Ｂ３は、連係コネクタＣin３のブロックｂ２から、増設ＢＷＢ３１−３内を通り、カードコネクタＣ１−３に接続する。
【００４０】
同様にして、信号Ｂ４は、連係コネクタＣin２のブロックｂ４から増設ＢＷＢ３１−２内を通り、連係コネクタＣout２のブロックｂ３に接続する。そして、信号Ｂ４は、連係コネクタＣin３のブロックｂ３から、増設ＢＷＢ３１−３内を通り、連係コネクタＣout３のブロックｂ２に接続し、さらに連係コネクタＣin４のブロックｂ２から増設ＢＷＢ３１−４内を通り、カードコネクタＣ１−４に接続する。
【００４１】
このような接続構成により、増設ＢＷＢ３１−３の連係コネクタＣin３を、増設ＢＷＢ３１−２の連係コネクタＣout２に接続したとき、連係コネクタＣin３のブロックｂ２〜ｂｎ−１が信号Ｂ３〜Ｂｎになる（図の場合では、連係コネクタＣin３のブロックｂ２〜ｂ４が、信号Ｂ３〜Ｂ５に対応している）。
【００４２】
また、同様にして、増設ＢＷＢ３１−３に増設ＢＷＢ３１−４を接続すると、増設ＢＷＢ３１−４の連係コネクタＣin４のブロックｂ２〜ｂｎ−２が信号Ｂ４〜Ｂｎになる（図の場合では、連係コネクタＣin４のブロックｂ２、ｂ３が、信号Ｂ４、Ｂ５に対応している）。
【００４３】
したがって、増設ＢＷＢ３１の連係接続に対し、増設ＢＷＢ３１（ｎ−１）に増設ＢＷＢ３１（ｎ）を接続するとき、増設ＢＷＢ３１（ｎ）の入力側の連係コネクタＣinのブロックｂ２が信号Ｂｎになって接続できる。
【００４４】
以上説明したように、増設ユニット３０は、入力側の連係コネクタＣinのカード１枚分の接続に必要な第１のピンブロックをカードコネクタＣ１に接続し、第１のピンブロック以外の第２のピンブロックを、連係コネクタＣinと連係コネクタＣout間で１ブロック分ずらして配線する構成とした。
【００４５】
例えば、信号Ｂ２は、連係コネクタＣin２のブロックｂ２（第１のピンブロックに該当）から、増設ＢＷＢ３１−２内を通り、カードコネクタＣ１−２に接続される。信号Ｂ３〜Ｂ５は、連係コネクタＣin２のブロックｂ３〜ｂ５（第２のピンブロックに該当）を通じて、増設ＢＷＢ３１−２内を通り、連係コネクタＣout２の１ブロック分ずらしたブロックｂ２〜ｂ４に接続する。
【００４６】
このような接続構成にすることにより、各カードユニットに固定的に対応した増設ユニットを製造する必要がなく、１種類の配線パターンを持つ増設ユニット３０だけで、カードユニット２０を自由に連係接続することができるので、効率のよい増設が可能になる。
【００４７】
次に増設ユニット３０の変形例について説明する。図９は増設ユニットの変形例を示す図である。変形例である増設ユニット３０ａは、上述の連係コネクタＣin、ＣoutとカードコネクタＣ１が一体となった増設コネクタＣZを有し、シャーシで被われた構造を持つ。また、増設コネクタＣZは、図７、図８で上述した増設ＢＷＢ３１が有する配線の接続構成をコネクタ内部に含んでいる。
【００４８】
なお、接続構成の説明をするために、連係コネクタＣinに対応する増設コネクタＣZのコネクタ口を増設連係コネクタＣZin、連係コネクタＣoutに対応するコネクタ口を増設連係コネクタＣZout、カードコネクタＣ１のコネクタ口を増設カードコネクタＣZ１と呼ぶことにする。
【００４９】
図１０は変形例の増設ユニット３０ａを用いてカードユニット２０を搭載した際の接続構成を示す図である。図は５枚のカードを制御できる基本ボード１１に対して、４枚のカード２１−１〜２１−４を実装した状態を示している。なお、接続構成がわかりやすいように、接続に必要な部分のみ示している。
【００５０】
接続関係に対し、基本連係コネクタＣｋ２と増設連係コネクタＣZin２とが接続し、増設連係コネクタＣZout２が増設連係コネクタＣZin３と接続し、増設連係コネクタＣZout３が増設連係コネクタＣZin４と接続する。
【００５１】
また、カード接続コネクタ２２−１と基本カードコネクタＣｋ１とのコネクタ接続によりカード２１−１が搭載され、カード接続コネクタ２２−２と増設カードコネクタＣZ１−２とのコネクタ接続によりカード２１−２が搭載され、カード接続コネクタ２２−３と増設カードコネクタＣZ１−３とのコネクタ接続によりカード２１−３が搭載され、カード接続コネクタ２２−４と増設カードコネクタＣZ１−４とのコネクタ接続によりカード２１−４が搭載される。
【００５２】
共通信号Ａは、基本ボード１１からコネクタを介して基本ＢＷＢ１２を通り、基本ＢＷＢ１２内で基本カードコネクタＣｋ１を介してカード２１−１に接続するものと、基本連係コネクタＣｋ２を介して、増設連係コネクタＣZin２に接続するものとに分岐される。
【００５３】
増設コネクタＣZ２内では、共通信号Ａは、カード２１−２に接続するものと、増設連係コネクタＣZout２に接続するものとに分岐される。また、増設コネクタＣZ３内では、共通信号Ａは、カード２１−３に接続するものと、増設連係コネクタＣZout３に接続するものとに分岐される。さらに、増設コネクタＣZ４内では、共通信号Ａは、カード２１−４に接続するものと、増設連係コネクタＣZout４側へ接続するものとに分岐される。
【００５４】
一方、各カードに１対１で接続する信号には、基本ボード１１から基本ＢＷＢ１２を通って、カード２１−１に接続する信号Ｂ１と、基本ボード１１からカード２１−２〜２１−４に接続するための信号Ｂ２〜Ｂ４がある。
【００５５】
まず、信号Ｂ２は、カード２１−２と接続する信号であり、基本ボード１１→基本ＢＷＢ１２→増設コネクタＣZ２を介して、カード２１−２に接続する。信号Ｂ３は、カード２１−３に接続する信号であり、基本ボード１１→基本ＢＷＢ１２→増設コネクタＣZ２→増設コネクタＣZ３を介して、カード２１−３に接続する。
【００５６】
信号Ｂ４は、カード２１−４に接続する信号であり、基本ボード１１→基本ＢＷＢ１２→増設コネクタＣZ２→増設コネクタＣZ３→増設コネクタＣZ４を介して、カード２１−４に接続する。
【００５７】
ここで、増設連係コネクタＣZin、ＣZoutのピン配列を、共通信号Ａと信号Ｂ２〜Ｂｎとの合計ｎ個の信号に対応して、ブロックａとブロックｂ２〜ブロックｂｎとの合計ｎ個のピンブロックに分割する。
【００５８】
共通信号Ａは、増設連係コネクタＣZin２のブロックａからコネクタ内部を通り、途中で２つに分岐して、一方は増設カードコネクタＣZ１−２に、他方は増設連係コネクタＣZout２のブロックａに接続される。共通信号Ａは以下同様にして、ブロックａを通じて接続されていく。
【００５９】
信号Ｂ２は、増設連係コネクタＣZin２のブロックｂ２から、コネクタ内部を通り、増設カードコネクタＣZ１−２に接続される。信号Ｂ３は、増設連係コネクタＣZin２のブロックｂ３からコネクタ内部を通り、増設連係コネクタＣZout２のブロックｂ２に接続する。そして、信号Ｂ３は、増設連係コネクタＣZin３のブロックｂ２から、コネクタ内部を通り、増設カードコネクタＣZ１−３に接続される。
【００６０】
信号Ｂ４は、増設連係コネクタＣZin２のブロックｂ４からコネクタ内部を通り、増設連係コネクタＣZout２のブロックｂ３に接続する。そして、増設連係コネクタＣZin３のブロックｂ３からコネクタ内部を通り、増設連係コネクタＣZout３のブロックｂ２に接続し、さらに、増設連係コネクタＣZin４のブロックｂ２からコネクタ内部を通り、増設カードコネクタＣZ１−４に接続する。
【００６１】
このような接続構成により、増設コネクタＣZ３を、増設コネクタＣZ２に接続したとき、増設連係コネクタＣZin３のブロックｂ２〜ｂｎ−１が信号Ｂ３〜Ｂｎになる（図の場合では、増設連係コネクタＣZin３のブロックｂ２〜ｂ４が、信号Ｂ３〜Ｂ５に対応している）。
【００６２】
また、同様にして、増設コネクタＣZ４を、増設コネクタＣZ３に接続したとき、増設連係コネクタＣZin４のブロックｂ２〜ｂｎ−２が信号Ｂ４〜Ｂｎになる（図の場合では、増設連係コネクタＣZin４のブロックｂ２、ｂ３が、信号Ｂ４、Ｂ５に対応している）。
【００６３】
したがって、増設コネクタＣZの連係接続に対し、増設コネクタＣZ（ｎ−１）に増設コネクタＣZ（ｎ）を接続するとき、増設コネクタＣZ（ｎ）の入力側の増設連係コネクタＣZinのブロックｂ２が信号Ｂｎになって接続できる。
【００６４】
このような接続構成にすることにより、各カードユニットに固定的に対応した増設ユニットを製造する必要がなく、１種類の配線パターンを持つ増設ユニット３０ａで、カードユニット２０を自由に連係接続することができるので、効率のよい増設が可能になる。また、変形例の増設ユニット３０ａは、ＢＷＢを使用せずに、コネクタ内部に上述のような接続関係を持つ構成としたので、さらなる小型化が可能になる。
【００６５】
以上説明したように、基本ユニット１０の基本連係コネクタＣｋ２を元にして、基本ユニット１０の外部に、増設ユニット３０を連係接続して、機能が同一あるいは異なるカードユニット２０を増設することができる。これにより、従来のように、あらかじめ装置内部に収容可能枚数分の増設カード領域や増設用コネクタ等を設ける必要がなく、ブランク板も不要なので、装置構成を小型化することができ、低コスト化を図ることが可能になる。
【００６６】
また、１〜ｎ台までのカードユニット２０のどれかが故障した場合や異なる機能のカードユニット２０に交換したい場合、増設ユニット３０は接続したままで、他のカードユニット２０の運用には影響せずに、交換したいカードユニット２０だけをスムーズに着脱することが可能になる。
【００６７】
さらに、増設ユニット３０の入出力側の連係コネクタのピンブロックを１ブロック分ずらした接続関係にすることによって、１種類の配線パターンを持つ増設ユニット３０で、カードユニット２０を自由に連係接続することができるので、増設ユニット３０の量産性の向上を図ることが可能になる。
【００６８】
また、変形例の増設ユニット３０ａのように、ＢＷＢパターンをコネクタ端子に置き換えることによって、ＢＷＢを使用せずに増設ユニット３０と同等の機能を持たせることができ、さらなる小型化が可能になる。
【００６９】
なお、上記の説明では、増設ユニット３０、３０ａの配線パターンを、基本ユニット１０とカードユニット２０間とで信号をやりとりする配線パターンとしたが、この配線パターン以外に、複数のカードユニット２０間での信号をやりとりする配線パターンを組み込むことも可能である。
【００７０】
また、上記では通信装置を回線終端装置に適用した場合を例にして説明したが、回線終端装置に限らず、カードを増設する必要性が生じるその他の電子機器に対して、幅広く適用することが可能である。
【００７１】
（付記１）  通信制御を行う通信装置において、
信号処理を行い、着脱可能なカードユニットと、
共通制御部が実装された基本ボードと、前記カードユニットを搭載するための基本カードコネクタ及び前記カードユニットを増設するための基本連係コネクタが実装され、基板に配線がなされた基本バック・ワイヤリング・ボードと、から構成される基本ユニットと、
前記基本連係コネクタへの接続、または相互に接続する連係コネクタ及び前記カードユニットを搭載するためのカードコネクタが実装され、基板に配線がなされた増設バック・ワイヤリング・ボードを含み、前記カードユニットの増設を行う増設ユニットと、
を有することを特徴とする通信装置。
【００７２】
（付記２）  前記基本ユニット及び１台の前記カードユニットから、１台の前記カードユニットに関する運用を行う装置を構成し、前記増設ユニットを用いて、前記基本ユニットに対して複数の前記カードユニットを増設することにより、複数の前記カードユニットに関する運用を行う装置を構成することを特徴とする付記１記載の通信装置。
【００７３】
（付記３）  前記増設ユニットは、入力側の前記連係コネクタのカード１枚分の接続に必要な第１のピンブロックを前記カードコネクタに接続し、前記第１のピンブロック以外の第２のピンブロックを、前記連係コネクタの入力側と出力側とで１ブロック分ずらして配線した接続構成を持つ前記増設バック・ワイヤリング・ボードを含むことを特徴とする付記１記載の通信装置。
【００７４】
（付記４）  前記増設ユニットは、前記連係コネクタと前記カードコネクタが一体化し、前記増設バック・ワイヤリング・ボードが有する配線の前記接続構成をコネクタ内部に含んだ増設コネクタを有することを特徴とする付記３記載の通信装置。
【００７５】
（付記５）  前記カードユニットは、加入者端末と接続する端末インタフェース・ケーブルを収容し、前記基本ユニットは、局と接続する局インタフェース・ケーブルを収容することを特徴とする付記１記載の通信装置。
【００７６】
（付記６）  信号処理を行い、着脱可能なカードユニットにおいて、
基本ユニットに設けられた基本カードコネクタまたは増設ユニットに設けられたカードコネクタに接続するカード接続コネクタと、
送受信すべき信号の前記信号処理を行う信号処理部と、
を有することを特徴とするカードユニット。
【００７７】
（付記７）  信号処理を行い、着脱可能なカードユニットへの共通制御を行う基本ユニットにおいて、
共通制御部が実装された基本ボードと、
前記カードユニットを搭載するための基本カードコネクタと、
前記カードユニットを増設するための基本連係コネクタと、
前記基本カードコネクタ及び前記基本連係コネクタが実装され、基板に配線がなされた基本バック・ワイヤリング・ボードと、
を有することを特徴とする基本ユニット。
【００７８】
（付記８）  信号処理を行い、着脱可能なカードユニットを連係接続して増設するための増設ユニットにおいて、
前記カードユニットを増設するための基本連係コネクタへの接続、または相互に接続する連係コネクタと、
前記カードユニットを搭載するカードコネクタと、
前記連係コネクタ及び前記カードコネクタが実装され、基板に配線がなされた増設バック・ワイヤリング・ボードと、
を有することを特徴とする増設ユニット。
【００７９】
（付記９）  回線終端制御を行う回線終端装置において、
加入者端末と接続する端末インタフェース・ケーブルを収容し、加入者サービスに対する信号処理を行い、着脱可能なカードユニットと
局と接続する局インタフェース・ケーブルを収容し、共通制御部が実装された基本ボードと、前記カードユニットを搭載するための基本カードコネクタ及び前記カードユニットを増設するための基本連係コネクタが実装され、基板に配線がなされた基本バック・ワイヤリング・ボードと、から構成される基本ユニットと、
前記基本連係コネクタへの接続、または相互に接続する連係コネクタ及び前記カードユニットを搭載するためのカードコネクタが実装され、基板に配線がなされた増設バック・ワイヤリング・ボードを含み、前記カードユニットの増設を行う増設ユニットと、
を有することを特徴とする回線終端装置。
【００８０】
（付記１０）  前記基本ユニット及び１台の前記カードユニットから、１台の前記カードユニットに関する運用を行う装置を構成し、前記増設ユニットを用いて、前記基本ユニットに対して複数の前記カードユニットを増設することにより、複数の前記カードユニットに関する運用を行う装置を構成することを特徴とする付記９記載の回線終端装置。
【００８１】
（付記１１）  前記増設ユニットは、入力側の前記連係コネクタのカード１枚分の接続に必要な第１のピンブロックを前記カードコネクタに接続し、前記第１のピンブロック以外の第２のピンブロックを、前記連係コネクタの入力側と出力側とで１ブロック分ずらして配線した接続構成を持つ前記増設バック・ワイヤリング・ボードを含むことを特徴とする付記９記載の回線終端装置。
【００８２】
（付記１２）  前記増設ユニットは、前記連係コネクタと前記カードコネクタが一体化し、前記増設バック・ワイヤリング・ボードが有する配線の前記接続構成をコネクタ内部に含んだ増設コネクタを有することを特徴とする付記１１記載の回線終端装置。
【００８３】
（付記１３）  加入者サービスに対する回線終端制御に関する信号処理を行い、着脱可能なカードユニットにおいて、
加入者端末と接続する端末インタフェース・ケーブルを収容する端末インタフェース部と、
基本ユニットに設けられた基本カードコネクタまたは増設ユニットに設けられたカードコネクタに接続するカード接続コネクタと、
送受信すべき信号の前記信号処理を行う信号処理部と、
を有することを特徴とするカードユニット。
【００８４】
（付記１４）  加入者サービスに対する回線終端制御に関する信号処理を行い、着脱可能なカードユニットへの共通制御を行う基本ユニットにおいて、
局と接続する局インタフェース・ケーブルを収容する局インタフェース部と、
共通制御部が実装された基本ボードと、
前記カードユニットを搭載するための基本カードコネクタと、
前記カードユニットを増設するための基本連係コネクタと、
前記基本カードコネクタ及び前記基本連係コネクタが実装され、基板に配線がなされた基本バック・ワイヤリング・ボードと、
を有することを特徴とする基本ユニット。
【００８５】
（付記１５）  加入者サービスに対する回線終端制御に関する信号処理を行い、着脱可能なカードユニットを連係接続して増設するための増設ユニットにおいて、
前記カードユニットを増設するための基本連係コネクタへの接続、または相互に接続する連係コネクタと、
前記カードユニットを搭載するカードコネクタと、
前記連係コネクタ及び前記カードコネクタが実装され、基板に配線がなされた増設バック・ワイヤリング・ボードと、
を有することを特徴とする増設ユニット。
【００８６】
【発明の効果】
以上説明したように、通信装置は、共通制御部が実装された基本ボードを含む基本ユニットに対し、連係コネクタ、カードコネクタ及び増設バック・ワイヤリング・ボードを含む増設ユニットによる連係接続を行って、カードユニットを搭載する構成とした。これにより、信号処理を行うカードユニットを効率よく搭載できるので、システムの小型化及び低コスト化を実現し、利便性及び経済性の向上を図り、かつ高品質な通信を行うことが可能になる。
【図面の簡単な説明】
【図１】  通信装置の構成を示す図である。
【図２】  通信装置の構成を示す図である。
【図３】  通信装置の構成を示す図である。
【図４】基本装置の構成を示す図である。
【図５】カードユニットを増設する際の組み立て図である。
【図６】カードユニット３台を搭載した通信装置の外観を示す図である。
【図７】カードユニットを搭載した際の接続構成を示す図である。
【図８】カードユニットを搭載した際の接続構成を示す図である。
【図９】増設ユニットの変形例を示す図である。
【図１０】変形例の増設ユニットを用いてカードユニットを搭載した際の接続構成を示す図である。
【図１１】従来の回線終端装置の外観を示す図である。
【符号の説明】
１０  基本ユニット
１１  基本ボード
１２  基本バック・ワイヤリング・ボード
Ｃａ  局インタフェース・コネクタ
Ｃｋ１  基本カードコネクタ
Ｃｋ２  基本連係コネクタ
【図１】
0004076325.tif 000002
【図２】
0004076325.tif 000003
【図３】
0004076325.tif 000004
【図４】
0004076325.tif 000005
【図５】
0004076325.tif 000006
【図６】
0004076325.tif 000007
【図７】
0004076325.tif 000008
【図８】
0004076325.tif 000009
【図９】
0004076325.tif 000010
【図１０】
0004076325.tif 000011
【図１１】
0004076325.tif 000012